(57)【要約】【課題】テレビドアホンのサンプルボードにおいて、容易に夜間の映り具合を確認する。【解決手段】カメラ部分を店頭の外光から遮断するアダプターを備え、当該アダプターはドアホン子機のカメラ部分に取り付けるための開口部を有する六面体で構成され、内面にイラスト、写真等の画質確認用の被写体を印刷して夜間の画質確認を容易とするとともに、カメラの撮像範囲が台形であることから、アダプターの形状をカメラの撮像範囲に応じて、上面から見て略台形とすることにより、アダプターの壁面のモニターへの映り込みも防止する。【選択図】図２
2007049505.tif 000002
【特許請求の範囲】
【請求項１】
電気店の店頭に設置されるテレビドアホン宣伝用のサンプルボードにおいて、
前記サンプルボードには、モニター（１２）を有するインターホン親機（１）と、カメラ（２１）と照明部（２２）と子機スピーカー（２４）とを有するドアホン子機（２）と、
前記ドアホン子機の夜間の映り具合を確認するために、ドアホン子機の一部を覆って外光を遮断するアダプター（３）とを備えたことを特徴とするテレビドアホンのサンプルボード。
【請求項２】
前記サンプルボードは、前記インターホン親機と前記ドアホン子機と前記アダプターとが同一ボード上に取り付けられたことを特徴とする請求項１記載のテレビドアホンのサンプルボード。
【請求項３】
前記アダプターは、ばね性の部材で前記サンプルボードに取り付けられたことを特徴とする請求項１または請求項２記載のテレビドアホンのサンプルボード。
【請求項４】
前記アダプターは、前記ドアホン子機のカメラ部分に取り付けるための開口部（３２）を有する六面体で構成され、前記開口部に対向する面の内面に画質確認用の被写体（３３）を印刷し、前記開口部で前記カメラと前記照明部を外光から遮断する構成となっているとともに、前記六面体は前記カメラの撮像範囲に応じて、上面から見て略台形となっていることを特徴とする請求項１乃至請求項４何れか１項記載のテレビドアホンのサンプルボード。
【請求項５】
前記子機は、前記子機スピーカーが前記カメラ及び前記照明部の下部に配置するものであって、
前記アダプターの開口部は、前記カメラ及び前記照明部のみを覆うことを特徴とする請求項１乃至請求項４何れか１項記載のテレビドアホンのサンプルボード。
【請求項６】
前記アダプターは、前記開口部に対向する内面の前記被写体の印刷を、反射光を防止するマット仕上げとしたことを特徴とする請求項１乃至請求項５何れか１項記載のテレビドアホンのサンプルボード。
【請求項７】
前記アダプターは、前記開口部に対向する内面の前記被写体の印刷を、前記照明部から離間するように偏心して印刷したことを特徴とする請求項１乃至請求項６記載何れか１項記載のテレビドアホンのサンプルボード。
【発明の詳細な説明】
【技術分野】
【０００１】
本発明はテレビドアホンのサンプルボードに係り、特に、屋外で夜間の照明が暗い状態を電気店等の店舗の店頭にて再現し、顧客がドアホン子機の夜間の映り具合を確認するために、ドアホン子機の一部を覆って外光を遮断するアダプターを備えるテレビドアホンのサンプルボードに関する。
【背景技術】
【０００２】
従来から、この種のテレビドアホンのサンプルボードとして、インターホン親機とドアホン子機が横に並んで陳列されているものがあった。これらのサンプルボードは、電気店、ホームセンターなどの店舗のドアホン売り場に陳列され、来客が実際に呼出ボタンを押したり、受話器を上げたりしてテレビドアホンの映り具合、音質を確認することができるものである。なお、テレビドアホンのサンプルボードの先行文献はないが、カーステレオのサンプルボードの先行文献として特許文献１があげられる。
【特許文献１】実開平６−７５０９０号公報（段落番号０００３〜０００４、図１２）
【発明の開示】
【発明が解決しようとする課題】
【０００３】
しかしながら、従来例のテレビドアホンのサンプルボードにおいて、販売店店頭は照明が配置されており、夜間の映り具合が確認できなかった。夜間の映り具合は、メーカー、機種によって大きな違いがあり、これを店頭で確認してもらうことにより、来客が商品を正しく評価することができる。
【０００４】
このため、夜間の映り具合を確認するためには、評価者である顧客がカメラの部分を手で覆い隠すなどの作業が必要であった。
この場合において、手で隠した場合にはカメラ部分は手しか撮像できないため、インターホン親機のモニターには手のみが映ることになり、評価する画質としては劣悪なものになっていた。
【０００５】
本発明は、上述の難点を解消するためになされたもので、カメラ部分を店頭の外光から遮断し、かつ内面に被写体を有するアダプターを備えることにより、容易に夜間の映り具合を確認することができるテレビドアホンのサンプルボードを提供することを目的としている。
【課題を解決するための手段】
【０００６】
上述の目的を達成するため、本発明のテレビドアホンのサンプルボードは、モニターを有するインターホン親機と、カメラと照明部を有するドアホン子機と、ドアホン子機の夜間の映り具合を確認するために、ドアホン子機の一部を覆って外光を遮断するアダプターを備えた。
【０００７】
また、本発明のテレビドアホンのサンプルボードは、インターホン親機と、ドアホン子機と、アダプターとを同一ボード上に取り付けた。
【０００８】
また、本発明のテレビドアホンのサンプルボードにおいて、アダプターは、ばね性の部材でサンプルボードに取り付けられた。
【０００９】
また、本発明のテレビドアホンのサンプルボードにおいて、アダプターは、ドアホン子機のカメラ部分に取り付けるための開口部を有する六面体で構成され、開口部に対向する面の内面に画質確認用の被写体を印刷し、開口部でカメラと照明部を外光から遮断する構成となっているとともに、六面体はカメラの撮像範囲に応じて、上面から見て略台形となっている。
【００１０】
また、本発明のテレビドアホンのサンプルボードにおいて、アダプターは、カメラ及び照明部を覆う。
【００１１】
また、本発明のテレビドアホンのサンプルボードにおいて、アダプターは、開口部に対向する内面の被写体の印刷をマット仕上げとした。
【００１２】
また、本発明のテレビドアホンのサンプルボードにおいて、アダプターは、開口部に対向する内面の被写体の印刷を、照明部から離間するように偏心して印刷した。
【発明の効果】
【００１３】
請求項１のテレビドアホンのサンプルボードによれば、カメラと照明部のみを店頭の照明からアダプタを用いて遮光することにより、夜間におけるドアホン子機の映り具合を容易に確認できる。
【００１４】
請求項２のテレビドアホンのサンプルボードによれば、インターホン親機と、ドアホン子機と、アダプターとを同一ボード上に取り付けたことにより、アダプターの取り扱いが容易となる。
【００１５】
請求項３のテレビドアホンのサンプルボードによれば、アダプターがばね性の部材で前記サンプルボードに取り付けられたことにより、アダプターの操作が容易となるとともに、アダプターを盗まれる危険がなくなる。
【００１６】
請求項４のテレビドアホンのサンプルボードによれば、遮光したアダプタの内面に被写体が印刷してあるため、夜間におけるドアホン子機の映り具合を容易に確認できるとともに、アダプタの形状がドアホン子機の撮像範囲に合わせて略台形になっていることから、アダプタの固定位置が容易に決められるとともに、アダプタの内枠がドアホン子機のカメラに映り込むことがない。
【００１７】
請求項５のテレビドアホンのサンプルボードによれば、ドアホン子機の子機スピーカーが開口部に入ることを防止することができ、アダプターを装着する事によるハウリングの発生がなくなる。
【００１８】
請求項６のテレビドアホンのサンプルボードによれば、マット仕上げにより照明による反射光を防止することができ、モニターでの表示が実際の取付状態に近くなり、確認がしやすくなる。
【００１９】
請求項７のテレビドアホンのサンプルボードによれば、照明からの光が被写体によって直接反射してカメラに入射することがなくなるため、ハレーションの発生を防止することができる。
【発明を実施するための最良の形態】
【００２０】
サンプルボードに備えつけられたアダプターは夜間の映り具合を容易に確認するため、外光を遮断し、配置を容易にする略台形の構造を持つとともに、内面にハレーションを防止する被写体配置とマット仕上げを行なった。
【実施例１】
【００２１】
以下、本発明のテレビドアホンのサンプルボードを適用した好ましい形態の実施例について、図面を参照して説明する。
【００２２】
図１は、本発明の第１の実施例によるテレビドアホンのサンプルボードの外観図である。
【００２３】
図１の外観図に示すテレビドアホンのサンプルボードは、電気店、ホームセンターなどの店舗のドアホン売り場に陳列されており、インターホン親機１とドアホン子機２が同一サンプルボード上に並べて陳列されている。インターホン親機１にはモニター１２、親機マイク１１、親機スピーカー１３、受話器１４を有し、ドアホン子機２上部にはカメラ２１、カメラ２１の右側には子機マイク２３、カメラ２１の左側には照明部２２、ドアホン子機２下部左には子機スピーカー２４、ドアホン子機２下部右には呼出ボタン２５を備えている。また、ドアホン子機２の寸法は高さ約１３ｃｍ、幅約１０ｃｍであり、うちカメラ２１の高さは５．５ｃｍである。
【００２４】
このようなサンプルボードによれば、来客が実際に呼出ボタン２５を押したり、受話器１４を上げたりしてテレビドアホンの映り具合、音質を確認することができる。
さらに、サンプルボードのドアホン子機２近傍には、ドアホン子機２の一部を覆って外光を遮断するアダプター３が備えられており、アダプター３はばね性を有する吊り紐３１によってサンプルボードに取り付けられている。
【００２５】
アダプター３は、図２（ａ）（ｂ）に示すように、ドアホン子機２のカメラ２１部分に取り付けるための開口部３２を有する六面体で構成され、高さ約６ｃｍ、幅約８ｃｍ、奥行き約３ｃｍの大きさであり、開口部３２は６面のうち２番目に大きい平面に、平面全体に亘る大きさで１つ設けられている。。開口部３２に対向する面の内面に来訪者を模した女性のイラスト、写真等の被写体３３を、内面の中心からやや左寄りにマット仕上げで印刷し、開口部３２で前記カメラ２１と照明部２２を外光から遮断する構成となっているとともに、六面体は前記カメラ２１の撮像範囲に応じて、上面から見て略台形となっており、また、高さもカメラ２１及び照明部２２の高さと比べて約９％高くなっている。
【００２６】
また、アダプター３は、図２（ｃ）に示すように、背面、つまり被写体３３の印刷面の裏面に「かぶせてお試しください」の文字とともに、使用方法が記載されている。
【００２７】
このように構成された本発明の第１の実施例によるテレビドアホンのサンプルボードにおいて、以下、具体的な動作について説明する。
【００２８】
図１の外観図に示すテレビドアホンのサンプルボードにおいて、来客がテレビドアホンの映り具合を確認するときに、呼出ボタン２５を押下する、受話器１４を上げる等の方法により、モニター１２にカメラ２１で撮像された画像を表示する。
【００２９】
次に、来客がテレビドアホンの夜間の映り具合を確認するときに、アダプター３に記載された使用方法を確認し、アダプター３をドアホン子機２のカメラ２１部分にセットする。アダプター３は略台形であり、開口部３２がカメラ２１、照明部２２、子機マイク２３を覆うことにより、カメラ２１への外部からの入射光が少なくなるとともに、カメラ２１前面には女性のイラスト等の被写体３３が印刷された面が配置される。
【００３０】
なお、ここで六面体が略台形ではなく、もし長方形であり、かつ、アダプター３の左右の幅がドアホン子機２のカメラ２１に映り込むことがないほど十分に広くした場合は、左右の位置決めが困難となり、アダプター３が左右にずれて光が入り込んだり、アダプター３の内壁がカメラ２１に映り込む虞がある。六面体を略台形とすることにより、この問題を解決している。
【００３１】
また、ここで六面体の高さは上下の位置決めを容易とする高さであり、アダプター３が上下にずれて光が入り込んだり、アダプター３が子機スピーカー２４を覆うことによるハウリングが発生したりすることもなくなる。
【００３２】
ドアホン子機２は、カメラ２１への映像信号が暗くなったことを検出して、照明部２２を点灯する。本来、照明部２２はドアホン子機２から約５０ｃｍの距離にある被写体３３を撮像するためのものであるため、ドアホン子機２から３ｃｍの距離にあるアダプター３の被写体３３を撮像するには光量が強すぎるため、通常の被写体ではハレーションを起こしてしまう。本実施例では、ハレーションを防止するために、内面の印刷面をマット仕上げとすることにより直接反射を低減するとともに、アダプター３の内面のうち、カメラ２１に対向する光量の強い部分、図２（ｂ）に示す領域３４は光が強く当たって白っぽくなってしまうことから、領域３４には被写体３３を配置せず、少なくとも被写体３３に対して実際の設置状態にある被写体が５０ｃｍの距離にある状態での映り具合に近い状態を作り出すことにより、来客がテレビドアホンの夜間の映り具合をインターホン親機１のモニター１２にて容易に確認することができる。
【００３３】
夜間の映り具合の確認が終わった来客は、アダプター３から手を離すと、吊り紐３１のばね性によりアダプター３が図１に示す所定の位置に戻る。
【産業上の利用可能性】
【００３４】
なお、本発明ではアダプターがカメラ、照明部とともに子機マイクも覆う形状となっているが、映り具合の確認のためには子機マイクは無関係であり、子機マイクを覆わない形状であっても適用することができる。
また、本発明ではサンプルボード及びアダプターの材質については何等定義していないが、紙、発泡スチロール、プラスチック、材木等、どのような素材であっても適用することができる。
また、本発明ではアダプターは来客が手でセットしているが、押しボタンあるいはタイマーにより電動でアダプターをドアホン子機にセットする場合であっても適用できる。
【図面の簡単な説明】
【００３５】
【図１】図１は、本発明の実施例によるサンプルボード示す外観図である。
【図２】図２は、本発明の実施例によるアダプターを示す外観図であり、（ａ）は斜視図、（ｂ）は開口部から内面を見た正面図で、光が強く当たって見えづらくなった領域を表しており、（ｃ）は（ｂ）の裏面を見た背面図である。
【符号の説明】
【００３６】
１    インターホン親機
２    ドアホン子機
３    アダプター
１２  モニター
２１  カメラ
２２  照明部
２４  子機スピーカー
３２  開口部
３３  被写体
【図１】
2007049505.tif 000003
【図２】
2007049505.tif 000004